(57)【要約】【課題】使用が簡単で正確且つ安全に使用できる指装着型の歯間ブラシを提供する。【解決手段】  この考案は、指先の第１関節（末節）を被覆するように装着するキャップ状又は袋状の装着体１の先端に指先方向に筆状又はブラシ状に突出し弾力性を備えた多数の線状のブラシ材３よりなるブラシ部４を植毛している。  上記ブラシ部４をその先端を基端部側より細くして円錐形に形成し、ブラシ部４の中央のブラシ材３を外周側のブラシ材より高い剛性を有する材料とした。【選択図】図１
0003190690.tif 000002
【実用新案登録請求の範囲】
【請求項１】
指先の第１関節（末節）を被覆するように装着するキャップ状又は袋状の装着体（１）の先端に指先方向に筆状又はブラシ状に突出し弾力性を備えた多数の線状のブラシ材（３）よりなるブラシ部（４）を植毛してなる指装着型歯間ブラシ。
【請求項２】
ブラシ部（４）をその先端を基端部側より細くして円錐形に形成した請求項１の指装着型歯間ブラシ。
【請求項３】
ブラシ部（４）の中央のブラシ材（３）が外周側のブラシ材より高い剛性を有する請求項１又は２に記載の指装着型歯間ブラシ。
【請求項４】
ブラシ部（４）の中央のブラシ材（３）として外周側のブラシ材より太い径のものを用いた請求項１〜３のいずれかに記載の指装着型歯間ブラシ。
【請求項５】
ブラシ部（４）の中央のブラシ材（３）として外周側のブラシ材より硬質のものを用いた請求項１〜４のいずれかに記載の指装着型歯間ブラシ。
【請求項６】
複数本の線状のブラシ材（３）を束状にまとめて単位株（３ａ），（３ｂ）とし、該単位株（３ａ），（３ｂ）をブラシ部中心とその周辺の複数位置に配置して植毛した請求項１〜５のいずれかに記載の指装着型歯間ブラシ。
【請求項７】
装着体（１）の先端にブラシ材（３）を直接植毛してなる請求項１〜６のいずれかに記載の指装着型歯間ブラシ。
【請求項８】
ブラシ材（３）を皿状又は円板状の植毛ベース（２）に植毛し、該植毛ベース（２）を装着体（１）の先端に取付けてなる請求項１〜６のいずれかに記載の指装着型歯間ブラシ。
【請求項９】
植毛ベース（２）を装着体（１）の先端周面に固着した請求項８に記載の指装着型歯間ブラシ。
【請求項１０】
装着体（１）の先端に植毛ベース（２）の先端側を挿入する挿入孔（８）を設け、装着体（１）の内部より植毛ベース（２）を挿入して固定した請求項８に記載の指装着型歯間ブラシ。
【考案の詳細な説明】
【技術分野】
【０００１】
この考案は、指に装着して使用する指装着型歯間ブラシに関する。
【背景技術】
【０００２】
従来指に装着して使用する歯間ブラシとして特許文献１に示すものが知られており、この例では指サックの周面に通常のブラシを植毛したものが示されている。
また棒状の把持部（柄）の先端に筆先状のブラシを取付けたものとして特許文献２に示すものが知られている。
【先行技術文献】
【特許文献】
【０００３】
【特許文献１】実開平６−５８７１８号公報（図１）
【特許文献２】特開２００７−１９５７１３合公報（全図）
【考案の概要】
【考案が解決しようとする課題】
【０００４】
しかし上記特許文献１の考案のブラシは、指サック内の指に対して横向きとなる外周方向にブラシ材が植毛されているため、口内の奥歯等の細部を磨く際に指先を奥深く挿入する必要があるほか、指先を口内の限られたスペースで左右や上下に振る方向や指方向に往復動させる必要がある。
【０００５】
さらにブラシ部が通常の一般的なブラシ形状であることもあり、奥歯の細部等のブラッシングが十分に行えないほか、要介護者や幼児にとっては口内での上記指の動きを煩わしく感じる等の欠点がある。
【０００６】
また特許文献２のブラシは棒状の柄を口内に挿入するので、要介護者や幼児等は予期しない急な動作をすることが多く危険を伴うことがあるほか、口内の細部を注意深く視認しながらブラッシングしなければならない煩わしさを伴う欠点がある。
【課題を解決するための手段】
【０００７】
上記課題を解決するため本考案の歯間ブラシは、第１に、指先の第１関節（末節）を被覆するように装着するキャップ状又は袋状の装着体１の先端に指先方向に筆状又はブラシ状に突出し弾力性を備えた多数の線状のブラシ材３よりなるブラシ部４を植毛してなることを特徴としている。
【０００８】
第２に、ブラシ部４をその先端を基端部側より細くして円錐形に形成したことを特徴としている。
【０００９】
第３に、ブラシ部４の中央のブラシ材３が外周側のブラシ材より高い剛性を有することを特徴としている。
【００１０】
第４に、ブラシ部４の中央のブラシ材３として外周側のブラシ材より太い径のものを用いたことを特徴としている。
【００１１】
第５に、ブラシ部４の中央のブラシ材３として外周側のブラシ材より硬質のものを用いたことを特徴としている。
【００１２】
第６に、複数本の線状のブラシ材３を束状にまとめて単位株３ａ，３ｂとし、該単位株３ａ，３ｂをブラシ部中心とその周辺の複数位置に配置して植毛したことを特徴としている。
【００１３】
第７に、装着体１の先端にブラシ材３を直接植毛してなることを特徴としている。
【００１４】
第８に、ブラシ材３を皿状又は円板状の植毛ベース２に植毛し、該植毛ベース２を装着体１の先端に取付けてなることを特徴としている。
【００１５】
第９に、植毛ベース２を装着体１の先端周面に固着したことを特徴としている。
【００１６】
第１０に、装着体１の先端に植毛ベース２の先端側を挿入する挿入孔８を設け、装着体１の内部より植毛ベース２を挿入して固定したことを特徴としている。
【考案の効果】
【００１７】
以上のように構成される本考案の指装着型歯間ブラシは、以下のような効果を奏する。
（１）装着体を介してブラシ部の先端が歯間やポケットに接触する感触を直接指先に感じながらブラッシングできる。このため必要部位に応じたブラッシングを正確に且つ最適な接触感で行えるほか、過不足のない押圧力となるよう指先で加減しながら行える利点がある。
【００１８】
（２）指先の第一関節（末節）や第２関節（中節）を屈伸揺動させ又は指軸を中心に回動させ又は押圧する口内での簡単で小さな指動作だけでブラッシングができ、指を振る動作や指軸方向に前後動させる必要がないため、余分な部位への摩擦や過度な押圧によるブラッシングが防止できる。またコントロールが容易な指動作だけのブラッシングなので要介護者や幼児等の不意な動きに対しても対応し易く安全性も高い。
【００１９】
（３）筆状に形成された弾力性のあるブラシ部を備えているため、歯間やポケット等の細部のブラッシングが行い易く且つ正確にコントロールができる。そして中心部のブラシ材の剛性を高く、周辺部を低くすることにより、さらにブラシ材の単位株を中心とその周辺に複数配置することにより上記の効果が一層高まることになる。
【００２０】
（４）またブラシ材を装着体に直接植毛することによりブラシ全体の構造が簡単になるほか、植毛ベースに植毛して装着体に取付けることにより製造が簡単で、着脱式等の工夫を行うことによりブラシ部のみを交換できる構造にすることもできる。
【図面の簡単な説明】
【００２１】
【図１】本考案の第１実施例を示す装着状態の歯間ブラシの全体斜視図である。
【図２】同じく歯間ブラシの使用状態を示す全体斜視図である。
【図３】（Ａ）は歯間ブラシの断面構造を示す拡大断面図，（Ｂ）は歯間ブラシのブラシ部材の植毛部を示す拡大断面図である。
【図４】（Ａ），（Ｂ）は共に本考案のキャップ型の歯間ブラシの第２実施例及び第３実施例を示す拡大断面図である。
【考案を実施するための形態】
【００２２】
［実施例１］
図１〜図３は本考案の第１実施例を示しており、ゴム又は硬質のプラスチック材からなる吸盤状の植毛ベース２が接着又は熱圧着等により一体的に固着されており、その先端側にはナイロンその他の一定以上の弾力性と耐水性を有するブラシ材３が筆状又はブラシ状に植毛され、ブラシ部４を形成している。
【００２３】
この例では装着体１は指６の指先（第１関節＝末節）に装着される指サックであり、弾力性及び伸縮性を備えている。ブラシ材３は図３に示すように例えば１０本程度の単位株（束）３ａ，３ｂにまとめられ、できるだけ各単位株自体は円錐形に先端が細くなる形状が望ましく且つ全体としても円錐形（筆状）に先端が細くなるように収束している。また植毛ベース２の表面側中央の単位株３ａ，３ｂはＪＩＳ規格で「かため」と呼ばれる硬質のナイロン線材（糸）が使用され、その周辺に配置して植毛された単位株４ａにはＪＩＳ規格で「ふつう」と称される比較的軟質の線材が使用され、ブラシ部４の突出長さは例えば１５ｍｍ前後で足りる。この単位株３ａ，３ｂの剛性の差は、中央の単位株３ａの線材径を太く、外周の単位株３ｂの線材径を細くすることによって付しても良い。
【００２４】
図２は上記実施例の歯間ブラシを用いて右上顎の歯Ｔのうち第１小臼歯Ｔ４と第２小臼歯Ｔ５間にブラシ部４を挿入してブラッシングしている状態を示しており、これを同一要領で歯周部のポケット７にブラシ部４を挿入してブラッシングすることもでき、ブラシ部４が筆状で且つナイロン等の比較的柔軟な材質なのでブラッシングが確実で痛みを伴うこともない。
【００２５】
［実施例２，３］
図４（Ａ），（Ｂ）は共に本考案の第２実施例と第３実施例を示し、共に装着体１が指先に被せるキャップ状に形成されている。図４（Ａ）の例では装着体１が円錐形の筒状体からなり、その先端には細径の筒状に連設形成されたブラシ部４の挿入孔８が形成されている。
【００２６】
また装着体１の内部先端には円板状又は皿状の植毛ベース２が挿入され、その内部に嵌合されて固着されており、該植毛ベース２に先の例と同様にブラシ部４が植毛され、挿入孔８より先端側と突出している。この例によればブラシ部４を植毛ベース２と共に交換することが可能である。
【００２７】
図４（Ｂ）の実施例では装着体１の先端に貫通しない挿入孔８が形成され、装着体１の挿入孔８に対して、ブラシ部４の単位株が直接植毛されている。いずれの例もブラシ部４の弾力性が発揮し易くブラッシングも正確に行える。その他上記装着体１や植毛ベース２の材質は軟質，硬質いずれのプラスチック材でもよいが、幼児や要介護者向けには軟質材が望ましい。
【符号の説明】
【００２８】
１    装着体
２    植毛ベース
３    ブラシ材
３ａ．３ｂ    単位株
４    ブラシ部
６    指
７    ポケット
８    挿入孔
Ｔ    歯
Ｔ４    第１小臼歯
Ｔ５    第２小臼歯
【図１】
0003190690.tif 000003
【図２】
0003190690.tif 000004
【図３】
0003190690.tif 000005
【図４】
0003190690.tif 000006